(57)【要約】【課題】インキ逆流が発生しても外部に漏れ出し難く、かつレフィルが簡単に交換可能なボールペンを提供する。【解決手段】軸筒内に、軸筒内に、先端にボールペンチップを装着し内部にボールペン用インキを直詰めしてなるボールペンレフィルを収容してなるボールペンにおいて、前記軸筒が、少なくとも先端部材と後端部材の２部品を螺合接続することにより構成してなり、前記後端部材の軸筒後端側を有底状とし前記後端部材の軸筒後端部側にインキ溜め部を形成し、前記後端部材の底部から軸筒先端方向に離間した後端部材または先端部材の外壁の側面に前記通気孔を形成するとともに、前記螺合接続おける雄ネジ部のネジ山に凹み部を軸筒内及び通気孔に連通させて形成する。【選択図】        図１
2004306349.tif 000002
【特許請求の範囲】
【請求項１】
軸筒内に、先端にボールペンチップを装着し内部にボールペン用インキを直詰めしてなるボールペンレフィルを収容してなるボールペンにおいて、前記軸筒が、少なくとも先端部材と後端部材の２部品を螺合接続することにより構成してなり、前記後端部材の軸筒後端側を有底状とし前記後端部材の軸筒後端部側にインキ溜め部を形成し、前記後端部材の底部から軸筒先端方向に離間した後端部材または先端部材の外壁の側面に前記通気孔を形成するとともに、前記螺合接続おける雄ネジ部のネジ山に凹み部を軸筒内及び通気孔に連通させて形成したことを特徴とするボールペン。
【請求項２】
前記雄ネジ部のネジ山の最大外径Ｍ、雌ネジ部の谷部の最大内径Ｌとしたとき、Ｍ≧Ｌを満足するように形成することを特徴とする請求項１に記載のボールペン。
【請求項３】
前記インキ溜め部の容積が、前記ボールペン用インキの体積より大きいことを特徴とする請求項１ないし２に記載のボールペン。
【請求項４】
前記凹み部の断面積が、０．１ｍｍ２〜０．３ｍｍ２であるとともに、直線距離にして１５ｍｍ以上としたことを特徴とする請求項１ないし３の何れか１項に記載のボールペン。
【発明の詳細な説明】
【０００１】
【発明の属する技術分野】
本発明は、内外を連通する通気孔を有する軸筒又は取付部材を着脱自在に螺合してなるボールペンに関する。
【０００２】
【従来の技術】
【特許文献１】
「実開昭６２−５５４８０号公報」
【特許文献２】
「実開昭６２−１７５９７７号公報」
【特許文献３】
「実公平３−４５５３号公報」
【０００３】
従来から、チップ先端からインキ吐出を行うには、加圧により強制的にインキを吐出可能としない限り、チップ先端部にインキを供給するインキ収容管は、内部のインキの減少に伴って内圧が低下してインキ供給が不能となることから、このインキ収容管の内外を連通する空気孔を形成して内圧を緩和し、インキの供給が良好に行えるようにする必要があることは知れている。
【０００４】
また、先端にボールペンチップを装着し内部にボールペン用インキを直詰めしてなるボールペンレフィルを収容してなる軸筒の後端部に、内外を連通する通気孔を有する尾栓等の取付部材を着脱自在に螺合してなるキャップ式ボールペンについてはよく知られている。こうしたキャップ式ボールペンについてもよく知られているが、レフィルが、インキ吸蔵体を配設しない直詰めタイプの場合は、筆記先端部からの空気の呑み込みや衝撃等によってインキがレフィル後端から逆流する現象（以下単にインキ逆流という。）が発生する。その結果、前記した空気孔から外部に漏れ出してしまい衣服などを汚してしまうので、インキ逆流を防止することは重要な課題である。
【０００５】
前記したインキ逆流を防止するには、インキの後端に加圧ガスを封入することが考えられるが、製造コストが向上するため低価格品には不向きである。また、チップ内にコイルスプリングを配設し、コイルスプリングの弾発力により、非使用時にはボールをチップ先端縁の内壁面に押圧し、筆記時の押圧力によりチップ先端縁の内壁とボールに間隙を与えインキを流出させる弁機構を具備し、チップ先端部からの空気の進入を防止する策も講じられているが、上向き筆記や衝撃等によって完全にチップ先端部に空気の進入を完全に防止することは困難である。
【０００６】
そのため、仮にインキ逆流現象が発生しても、外部に容易に漏洩しない対策が必要となる。例えば、実開昭６２−５５４８０号公報「筆記具の尾栓固着装置」や実開昭６２−１７５９７７号公報「ボールペンレフィルの構造」に開示されているように、尾栓の外壁に螺旋状又は迷路上の空気流路を形成し、内壁が平面状のインキ収容管に装着するもの等が開示されている。また、実公平３−４５５３号公報「筆記具の軸筒」では雄ネジ部のネジ山に非接触状態となる切欠き部を形成しているもの開示されいる。
【０００７】
ところで、従来のキャップ式ボールペンは、キャップが上にくるようにペン立てやポケット等に収容するので、軸筒先端側のボールペンチップが上向きで、軸筒後端側の尾栓が下向きとなることが一般的である。また、こうしたキャップ式ボールペンにおいて、グリーン購入法等に代表される環境問題等を顧慮し、筆記具においてはレフィル交換可能な筆記具が望まれている。
【０００８】
【本発明が解決しようとする課題】
しかし、前記した従来技術のように、尾栓の外壁に螺旋状又は迷路上の空気流路を形成し、内壁が平面状のインキ収容管に圧入装着する構造のものでは、簡単に取り外すことができなかった。また、完全にインキ逆流を防止することはできず、インキ逆流が発生した後の対策を講じる必要があった。
【０００９】
本発明は、インキ逆流が発生しても外部に漏れ出し難く、かつレフィルが簡単に交換可能なボールペンを提供するものである。
【００１０】
【課題を解決する手段】
前記目的を達成するために本発明では、軸筒内に、先端にボールペンチップを装着し内部にボールペン用インキを直詰めしてなるボールペンレフィルを収容してなるキャップ式ボールペンにおいて、前記軸筒が、少なくとも先端部材と後端部材の２部品を螺合接続することにより構成してなり、前記後端部材の軸筒後端側を有底状とし前記後端部材の軸筒後端部側にインキ溜め部を形成し、前記後端部材の底部から軸筒先端方向に離間した後端部材または先端部材の外壁の側面に前記通気孔を形成するとともに、前記螺合接続おける雄ネジ部のネジ山に凹み部を軸筒内及び通気孔に連通させて形成する。
【００１１】
また、前記雄ネジ部のネジ山の最大外径Ｍ、雌ネジ部の谷部の最大内径Ｌとしたとき、Ｍ≧Ｌを満足するように形成する。
【００１２】
またさらに、前記インキ溜め部の容積が、前記ボールペン用インキの体積より大きくする。
【００１３】
またさらに、前記凹み部の断面積が、０．１ｍｍ２〜０．３ｍｍ２であるとともに、直線距離にして１５ｍｍ以上とする。
【００１４】
本発明の取付部材とは尾栓、口金、前軸又は後軸等、螺合により着脱自在に装着可能な軸筒を構成する部材のことである。
【００１５】
【発明の実施の形態】
以下に図面に示す実施の形態に基づいて本発明を具体的に説明する。
図１から図４に示す第１の実施の形態のボールペン１は、軸筒内にレフィルが収納され、図示はしていないが、軸筒の先端部にキャップを装着してなるキャップ式のボールペンである。レフィルの構造は、従来から知られているもので、インキ収容管７内に下記配合のボールぺン用インキ１１、ボールぺン用インキの後端面に密接してインキの消費に追従するインキ追従体１２を直に収容し、インキ収容管７の先端部にはチップホルダー８を介して、ボールを回転自在に抱持した筆記先端部となるボールペンチップ９を装着してある。また、インキ収容管７の後端部にはインキ収容管の内外を連通する通気孔１０ａを有する尾栓１０を装着してある。
【００１６】
軸筒は、先端部材として先端を開口した軸筒本体２と、軸筒本体２の後端部に着脱自在に螺合接続した後端部材の尾栓３とからなる。軸筒本体２と尾栓３の螺合接続は、軸筒本体２の内壁に形成した雌ネジ部の谷部５と、尾栓３の外壁に形成した雄ネジ部のネジ山４とからなる。尾栓３は、後端側を有底状とし、この底部３ａから軸筒先端側に離間した外壁の側面に内外を連通する通気孔６を形成してある。雄ネジ部のネジ山４には凹み部４ａが形成されていて、この凹み部４ａは、通気孔６と軸筒本体２内に連通するように形成してある。また、軸筒本体２に尾栓３を螺合したとき、レフィルの尾栓１０が尾栓３に設けたリブ３ｂに当接し、チップホルダー８と軸筒本体２の内壁とは圧入状態とし、チップ９先端部側からの空気の流路を閉鎖した状態である。図示はしていないが、リブ３ｂの形状は空気が通気孔６とレフィルの尾栓１０の通気孔１０ａを連通するように間隙を形成してある。
【００１７】
内外を連通するネジ山４の凹み部４ａは非直線の螺旋状に形成されるので、仮にインキ逆流が発生しても容易に外部に漏れ出すことがない。また、雄ネジ部のネジ山４の最大外径Ｍより、雌ネジ部の谷部５の最大内径Ｌを同等以上（Ｍ≦Ｌ）とすることにより、軸筒本体２に尾栓３を螺合及び圧入することになり凹み部４ａ以外の気密を確実に得ることができ、
【００１８】
さらに、尾栓３の後端側を有底３ａの筒状とし、この底部３ａから軸筒先端側に離間した外壁の側面に内外を連通する通気孔６を形成することにより、チップ先端部側を上向きにした状態で、尾栓３の底部３ａから通気孔６までの内部空間が、逆流したインキを溜めるインキ溜め部Ｋとすることができるので、外部へのインキ漏れ出しをより防止することができる。また、軸筒本体２及び尾栓３を半透明としても、外部から凹み部４ａはネジ山４や谷部５のように見えるため外観を損ねることはない。
【００１９】
図５から図８に示す第２の実施の形態のボールペン２１は、第１の実施の形態と同様に、軸筒内にレフィルが収納され、図示はしていないが、軸筒の先端部にキャップを装着してなるキャップ式のボールペンである。
【００２０】
軸筒は、先端部材の口先部材２３と、後端部材の軸筒本体２２からなり、軸筒本体２２の外壁に形成した雄ネジ部のネジ山２４に、口先端部材の内壁に形成した雌ネジ部の谷部２５とを螺合により着脱自在に装着してある。軸筒本体２２は、軸筒後端側を有底状とし、底部２２ａから軸筒先端側に離間した外壁の側面に内外を連通する通気孔２６を形成してある。また、雄ネジ部のネジ山２４には凹み部２４ａが形成されていて、この凹み部２４ａは、通気孔２６と軸筒本体２２内に連通している。また、軸筒本体２２に口先部材２３を螺合したとき、レフィルの尾栓１０が軸筒本体２２に設けたリブ２３ｂに当接し、チップホルダー８と口先部材２３の内壁とは圧入状態とし、チップ９先端部側からの空気の流路を閉鎖した状態である。
【００２１】
通気孔２６からの空気は、インキ収容管７の外壁と軸筒本体２２の内壁との間隙を通り、インキ収容管７の後端部に連通する。インキ収容官７の後端部にはインキ収容管７の内外を連通する通気孔を有する尾栓１０を装着してあるので、インキの減少に伴ってインキ収容管７の内圧が低下してインキ供給が不能となることはない。
【００２２】
第１の実施の形態と同様に、軸筒本体２２の軸筒後端側を有底２２ａの筒状とし、底部２２ａから軸筒先端側に離間した外壁の側面に内外を連通する通気孔２６を形成することにより、底部２２ａから通気孔２６までの内部空間がインキ逆流したインキを溜めるイン溜め部Ｋとすることができる。また、このインキ溜め部Ｋの容積をインキの体積より多くしてあるので、チップ先端部を上向きにした状態で、空気孔２６が漏れ出したインキよりもチップ９先端部側に位置するため、外部へのインキ漏れ出しを完全に防止することができる。
【００２３】
本発明のボールペンは、ボールペンチップの形状や構造は特に限定されるものではなく、前述したように、非使用時にはチップ先端に回転自在に抱持したボールを、コイルスプリングにより直接または押圧体を介して、ボールの後端に当接させ、チップ先端縁の内壁面に押圧して、筆記時の押圧力によりチップ先端縁の内壁とボールに間隙を与えインキを流出させる弁機構を具備すると、空気の呑み込みの防止効果が向上し、その結果、インキ逆流が発生しにくくなるので好ましい。
【００２４】
また、軸筒の構造や形状は、前記実施例に限定されるものではなく、キャップ式ボールペンの軸筒として従来から知られている螺合接続可能な構造であれば、前軸と後軸、口先部材と軸筒本体と尾栓等、特に限定されるものではない。
【００２５】
本発明の凹み部の形状は特に限定されないが、また、一般的に、ボールペン用インキは、紙面に筆記した後のインキに手などに触れた時に、インキが手に付着するのを防止するように、インキの乾燥時間を設定している。そのため、本発明の構造は、仮にインキが逆流しても、凹み部内でインキが乾燥するため、インキ逆流を防止することが可能となるが、断面積が０．３ｍｍ２を越えると凹み部に溜まるインキ量が多くなるため、インキが乾燥しにくく、インキ漏れ防止機能が低下する。また断面積が０．１ｍｍ２未満であると、流通する空気の量が少なく筆記不良が発生する恐れがあるので０．１ｍｍ２〜０．３ｍｍ２が好ましい。同様に、螺旋状直線距離が１５ｍｍ未満では外部へのインキ漏れまでの到達時間が短く、インキの乾燥の時間を極めて短くしなければならず、インキ漏れ防止機能が低下するので１５ｍｍ以上とすることが好ましい。
【００２６】
【発明の効果】
本発明のボールペンは、前述した構成なので、インキ逆流が発生しても外部に漏れ出し難く、かつレフィルが簡単に交換可能なボールペンを提供することができた。
【図面の簡単な説明】
【図１】第１の実施の形態におけるボールペンを示す縦断面図である。
【図２】図１における一部省略した要部拡大図である。
【図３】第１の実施の形態における螺合前の状態を示す図である。
【図４】図１における尾栓の拡大図である。
【図５】第２の実施の形態におけるボールペンを示す縦断面図である。
【図６】図５における一部省略した要部拡大図である。
【図７】第２の実施の形態における螺合前の状態を示す図である。
【図８】図５における口先部材の拡大図である。
【符号の説明】
１  ボールペン
２  軸筒本体
２ａ  先端開口部
３  尾栓
３ａ  底部（後端部）
４  ネジ山
４ａ  凹み部
５  谷部
６  通気孔
７  インキ収容管
８  チップホルダー
９  ボールペンチップ
１０  尾栓
１０ａ  通気孔
１１  ボールペン用インキ
１２  インキ追従体
２１  ボールペン
２２  軸筒本体
２２ａ  先端開口部
２３  口先部材
２３ａ  先端開口部
２３ｂ  底部（後端部）
２４  ネジ山
２４ａ  凹み部
２５  谷部
２６  通気孔
【図１】
2004306349.tif 000003
【図２】
2004306349.tif 000004
【図３】
2004306349.tif 000005
【図４】
2004306349.tif 000006
【図５】
2004306349.tif 000007
【図６】
2004306349.tif 000008
【図７】
2004306349.tif 000009
【図８】
2004306349.tif 000010